(57)【要約】【課題】異なる長さの無線基地局の識別情報ｅＮＢ  ＩＤを有する無線基地局が混在する場合であっても、Ｓ１ハンドオーバを実現する。【解決手段】本発明に係る移動通信方法は、ハンドオーバ元無線基地局ｅＮＢ＃０が、移動局ＵＥから受信したＭｅａｓｕｒｅｍｅｎｔ  Ｒｅｐｏｒｔに含まれるＥ-ＣＧＩに含まれるＣｅｌｌ  ＩＤ内に設定されている所定ビットを参照して、ハンドオーバ先候補無線基地局がマクロセル用無線基地局ｅＮＢ或いは小セル用無線基地局ＨｅＮＢのいずれであるかについて判定する工程を有する。【選択図】図３
2011097530.tif 000002
【特許請求の範囲】
【請求項１】
移動局の第１無線基地局配下のセルから第２無線基地局配下のセルに対するハンドオーバ処理を行う移動通信方法であって、
前記第１無線基地局が、前記移動局から受信した測定報告に含まれる前記第２無線基地局配下のセルを特定可能なセル識別情報内に設定されている所定情報を参照して、該第２無線基地局がマクロセル用無線基地局或いは小セル用無線基地局のいずれであるかについて判定する工程と、
前記第２無線基地局がマクロセル用無線基地局であると判定された場合、前記第１無線基地局が、交換局に対して、該第２無線基地局の識別情報として前記セル識別情報の一部を設定した第１ハンドオーバ要求信号を送信する工程と、
前記第２無線基地局が小セル用無線基地局であると判定された場合、前記第１無線基地局が、前記交換局に対して、該第２無線基地局の識別情報として前記セル識別情報をそのまま設定した第１ハンドオーバ要求信号を送信する工程とを有することを特徴とする移動通信方法。
【請求項２】
前記交換局が、無線基地局の識別情報及びトラッキングエリアの識別情報を含むエントリを管理する管理部を具備しており、
前記管理部において、前記第１ハンドオーバ要求信号に含まれている前記第２無線基地局の識別情報を含むエントリを管理されていない場合であっても、該第２無線基地局の識別情報の長さが所定長である場合で、かつ、該管理部において、該第１ハンドオーバ要求信号に含まれているトラッキングエリアの識別情報を含むエントリが管理されている場合には、前記交換局が、ゲートウェイ装置に対して、該トラッキングエリアの識別情報を含む第２ハンドオーバ要求信号を送信する工程と、
前記ゲートウェイ装置が、受信した前記第２ハンドオーバ要求信号に含まれている前記トラッキングエリア及び無線基地局の識別情報に対応する前記第２無線基地局の識別情報によって特定される該第２無線基地局に対して、第３ハンドオーバ要求信号を送信する工程とを有することを特徴とする請求項１に記載の移動通信方法。
【請求項３】
前記交換局が、無線基地局の識別情報及びトラッキングエリアの識別情報を含むエントリを管理する管理部を具備しており、
前記管理部において、前記第１ハンドオーバ要求信号に含まれている前記第２無線基地局の識別情報を含むエントリを管理されていない場合で、かつ、該第２無線基地局の識別情報の長さが所定長でない場合には、前記交換局が、前記第１無線基地局に対して、ハンドオーバ失敗信号を送信する工程を有することを特徴とする請求項１に記載の移動通信方法。
【請求項４】
移動局の第１無線基地局配下のセルから第２無線基地局配下のセルに対するハンドオーバ処理において、該第１無線基地局として機能する無線基地局であって、
前記移動局から受信した測定報告に含まれる前記第２無線基地局配下のセルを特定可能なセル識別情報内に設定されている所定情報を参照して、該第２無線基地局がマクロセル用無線基地局或いは小セル用無線基地局のいずれであるかについて判定するように構成されている判定部と、
交換局に対して、前記第２無線基地局の識別情報を設定したハンドオーバ要求信号を送信するように構成されている送信部とを具備し、
前記判定部が、前記第２無線基地局がマクロセル用無線基地局であると判定した場合、前記送信部は、前記交換局に対して、該第２無線基地局の識別情報として前記セル識別情報の一部を設定したハンドオーバ要求信号を送信するように構成されており、
前記判定部が、前記第２無線基地局が小セル用無線基地局であると判定した場合、前記送信部は、前記交換局に対して、該第２無線基地局の識別情報として前記セル識別情報をそのまま設定したハンドオーバ要求信号を送信するように構成されていることを特徴とする無線基地局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式の移動通信システムでは、ハンドオーバ元無線基地局は、交換局ＭＭＥ（Ｍｏｂｉｌｉｔｙ  Ｍａｎａｇｅｍｅｎｔ  Ｅｎｔｉｔｙ）に対して送信するＨＯ  Ｒｅｑｕｉｒｅｄメッセージにおいて、ハンドオーバ先候補無線基地局ｅＮＢ/ＨｅＮＢを識別するＴａｒｇｅｔ  ＩＤを指定する必要がある。
【０００３】
図８に示すように、Ｉｎｔｒａ-ＬＴＥハンドオーバにおけるＨＯ  Ｒｅｑｕｉｒｅｄに含まれている情報要素「Ｔａｒｇｅｔ  ＩＤ」には、情報要素「Ｇｌｏｂａｌ  ｅＮＢ  ＩＤ」及び情報要素「Ｓｅｌｅｃｔｅｄ  ＴＡＩ」が含まれている。
【０００４】
また、図８に示すように、情報要素「Ｇｌｏｂａｌ  ｅＮＢ  ＩＤ」に含まれる情報要素「ｅＮＢ  ＩＤ」には、２０ビット長のＭａｃｒｏ  ｅＮＢ  ＩＤ（無線基地局ｅＮＢの識別情報）又は２８ビット長のＨｏｍｅ  ｅＮＢ  ＩＤ（無線基地局ＨｅＮＢの識別情報）のいずれかが設定される。
【０００５】
また、ＬＴＥ-Ｒｅｌ.８方式の移動通信システムでは、図９に示すように、移動局ＵＥは、ハンドオーバ先候補セルのＰＣＩ（Ｐｈｙｓｉｃａｌ  Ｃｅｌｌ  ＩＤ）（Ｔａｒｇｅｔ  ＰＣＩ）のみを含む、すなわち、ハンドオーバ先候補無線基地局の識別情報（Ｇｌｏｂａｌ  ｅＮＢ  ＩＤ）やハンドオーバ先候補トラッキングエリアの識別情報（ＴＡＩ：Ｔｒａｃｋｉｎｇ  Ａｒｅａ  ＩＤ）を含まないＭｅａｓｕｒｅｍｅｎｔ  Ｒｅｐｏｒｔを送信するように構成されているため、ハンドオーバ元無線基地局ｅＮＢ＃１は、かかるＰＣＩに基づいて、ＮＲＴ（Ｎｅｉｂｏｕｒ  Ｒｅｌａｔｉｏｎ  Ｔａｂｌｅ）を参照して、ハンドオーバ先候補無線基地局の識別情報（Ｇｌｏｂａｌ  ｅＮＢ  ＩＤ）やハンドオーバ先候補トラッキングエリアの識別情報（ＴＡＩ）を抽出する必要があった。
【０００６】
したがって、移動局ＵＥは、ハンドオーバ元無線基地局ｅＮＢ＃１のＮＲＴに登録されていない無線基地局ｅＮＢ/ＨｅＮＢ（図９の例では、無線基地局ｅＮＢ＃２）に対して、Ｓ１ハンドオーバを行うことができない。
【０００７】
一方、ＬＴＥ-Ｒｅｌ.９方式の移動通信システムでは、移動局ＵＥは、ハンドオーバ先候補セルに関するＥ-ＣＧＩ（Ｅ-ＵＴＲＡＮ  Ｃｅｌｌ  Ｇｌｏｂａｌ  Ｉｄｅｎｔｉｔｙ）及びＴＡＩを含むＭｅａｓｕｒｅｍｅｎｔ  Ｒｅｐｏｒｔを送信することができるため、ハンドオーバ元無線基地局Ｓ-ｅＮＢは、ＮＲＴに登録されていないハンドオーバ先候補無線基地局を識別するＴａｒｇｅｔ  ＩＤを構成するＧｌｏｂａｌ  ｅＮＢ  ＩＤ及びＴＡＩを取得することができる。
【０００８】
図１０に、Ｍｅａｓｕｒｅｍｅｎｔ  Ｒｅｐｏｒｔに含まれる情報要素「Ｅ-ＣＧＩ」に含まれる情報要素の一例を示す。
【０００９】
したがって、ハンドオーバ元無線基地局は、ＮＲＴに登録されていないハンドオーバ先候補無線基地局ｅＮＢ/ＨｅＮＢやゲートウェイ装置ＨｅＮＢ-ＧＷ配下のハンドオーバ先候補無線基地局ＨｅＮＢに対しても、Ｔａｒｇｅｔ  ＩＤを含むＨＯ  Ｒｅｑｕｉｒｅｄメッセージを送信することができるが、移動局ＵＥによって送信されたＭｅａｓｕｒｅｍｅｎｔ  Ｒｅｐｏｒｔに含まれるハンドオーバ先候補無線基地局が、無線基地局ｅＮＢ又は無線基地局ＨｅＮＢのいずれであるのかについて判定することができない。
【００１０】
すなわち、移動局ＵＥによって送信されたＭｅａｓｕｒｅｍｅｎｔ  Ｒｅｐｏｒｔに含まれるＥ-ＣＧＩには、ハンドオーバ先候補無線基地局の種別（ｅＮＢ/ＨｅＮＢ）を判定するための情報が含まれていない。
【００１１】
なお、Ｅ-ＣＧＩの下位２８ビットは、Ｃｅｌｌ  ＩＤ（図１０に示す情報要素「Ｃｅｌｌ  Ｉｄｅｎｔｉｔｙ」に設定されるＣｅｌｌ  Ｉｄｅｎｔｉｔｙに対応）によって構成されており、ハンドオーバ先候補無線基地局が、無線基地局ＨｅＮＢである場合、Ｃｅｌｌ  ＩＤは、Ｈｏｍｅ  ｅＮＢ  ＩＤによって構成されており、ハンドオーバ先候補無線基地局が、無線基地局ｅＮＢである場合、Ｃｅｌｌ  ＩＤは、２０ビット長のＭａｃｒｏ  ｅＮＢ  ＩＤと８ビットの無線基地局ＨｅＮＢ配下のセルの識別情報とによって構成されている。
【００１２】
また、交換局ＭＭＥは、ハンドオーバ元無線基地局から受信したＨＯ  Ｒｅｑｕｉｒｅｄメッセージ内の情報要素「Ｇｌｏｂａｌ  ｅＮＢ  ＩＤ」に設定されているＧｌｏｂａｌ  ｅＮＢ  ＩＤと一致するエントリが登録されているか否かについて検索する。
【００１３】
ここで、かかるエントリが登録されていない場合で、かつ、情報要素「Ｇｌｏｂａｌ  ｅＮＢ  ＩＤ」内の情報要素「ｅＮＢ  ＩＤ」の長さが２０ビットである場合、交換局ＭＭＥは、ハンドオーバ元無線基地局に対して、ＨＯ  Ｆａｉｌｕｒｅを送信する。
【００１４】
一方、かかるエントリが登録されていない場合で、かつ、情報要素「Ｇｌｏｂａｌ  ｅＮＢ  ＩＤ」内の情報要素「ｅＮＢ  ＩＤ」の長さが２８ビットである場合、交換局ＭＭＥは、ハンドオーバ元無線基地局から受信したＨＯ  Ｒｅｑｕｉｒｅｄ内の情報要素「Ｓｅｌｅｃｔｅｄ  ＴＡＩ」に設定されているＴＡＩが一致するゲートウェイ装置ＨｅＮＢ-ＧＷが登録されているか否かについて検索する。
【００１５】
登録されている場合、ＴＡＩを含むＨＯ  Ｒｅｑｕｅｓｔを当該ゲートウェイ装置ＨｅＮＢ-ＧＷに対して送信する。登録されていない場合、交換局ＭＭＥは、ハンドオーバ元無線基地局に対して、ＨＯ  Ｆａｉｌｕｒｅを送信する。
【先行技術文献】
【非特許文献】
【００１６】
【非特許文献１】３ＧＰＰ  ＴＳ３６.３００（Ｖ９.１.０）、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｏｖｅｒａｌｌ  Ｄｅｓｃｒｉｐｔｉｏｎ  Ｓｔａｇｅ  ２  （Ｒｅｌｅａｓｅ  ９）」、２００９年９月
【非特許文献２】３ＧＰＰ  ＴＳ３６.４１３（Ｖ９.０.０）「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  Ｓ１  Ａｐｐｌｉｃａｔｉｏｎ  Ｐｒｏｔｏｃｏｌ（Ｓ１ＡＰ）（Ｒｅｌｅａｓｅ  ９）」、２００９年９月
【発明の概要】
【発明が解決しようとする課題】
【００１７】
しかしながら、上述の移動通信システムでは、Ｓ１ハンドオーバが実行される際に、ハンドオーバ元無線基地局は、移動局ＵＥによって送信されたＭｅａｓｕｒｅｍｅｎｔ  Ｒｅｐｏｒｔに含まれるＥ-ＣＧＩに基づいて、ハンドオーバ先候補無線基地局の種別（ｅＮＢ/ＨｅＮＢ）を判定することができないため、ＨＯ  Ｒｅｑｕｉｒｅｄ内の情報要素「Ｔａｒｇｅｔ  ＩＤ」内の情報要素「Ｇｌｏｂａｌ  ｅＮＢ  ＩＤ」の長さ（２０ビット又は２８ビット）を決定することができないという問題点があった。
【００１８】
そこで、本発明は、上述の課題に鑑みてなされたものであり、異なる長さの無線基地局の識別情報ｅＮＢ  ＩＤを有する無線基地局が混在する場合であっても、Ｓ１ハンドオーバを実現することができる移動通信方法及び無線基地局を提供することを目的とする。
【課題を解決するための手段】
【００１９】
本発明の第１の特徴は、移動通信方法であって、移動局の第１無線基地局配下のセルから第２無線基地局配下のセルに対するハンドオーバ処理を行う移動通信方法であって、前記第１無線基地局が、前記移動局から受信した測定報告に含まれる前記第２無線基地局配下のセルを特定可能なセル識別情報内に設定されている所定情報を参照して、該第２無線基地局がマクロセル用無線基地局或いは小セル用無線基地局のいずれであるかについて判定する工程と、前記第２無線基地局がマクロセル用無線基地局であると判定された場合、前記第１無線基地局が、交換局に対して、該第２無線基地局の識別情報として前記セル識別情報の一部を設定した第１ハンドオーバ要求信号を送信する工程と、前記第２無線基地局が小セル用無線基地局であると判定された場合、前記第１無線基地局が、前記交換局に対して、該第２無線基地局の識別情報として前記セル識別情報をそのまま設定した第１ハンドオーバ要求信号を送信する工程とを有することを要旨とする。
【００２０】
本発明の第２の特徴は、移動局の第１無線基地局配下のセルから第２無線基地局配下のセルに対するハンドオーバ処理において、該第１無線基地局として機能する無線基地局であって、前記移動局から受信した測定報告に含まれる前記第２無線基地局配下のセルを特定可能なセル識別情報内に設定されている所定情報を参照して、該第２無線基地局がマクロセル用無線基地局或いは小セル用無線基地局のいずれであるかについて判定するように構成されている判定部と、交換局に対して、前記第２無線基地局の識別情報を設定したハンドオーバ要求信号を送信するように構成されている送信部とを具備し、前記判定部が、前記第２無線基地局がマクロセル用無線基地局であると判定した場合、前記送信部は、前記交換局に対して、該第２無線基地局の識別情報として前記セル識別情報の一部を設定したハンドオーバ要求信号を送信するように構成されており、前記判定部が、前記第２無線基地局が小セル用無線基地局であると判定した場合、前記送信部は、前記交換局に対して、該第２無線基地局の識別情報として前記セル識別情報をそのまま設定したハンドオーバ要求信号を送信するように構成されていることを要旨とする。
【発明の効果】
【００２１】
以上説明したように、本発明によれば、異なる長さの無線基地局の識別情報ｅＮＢ  ＩＤを有する無線基地局が混在する場合であっても、Ｓ１ハンドオーバを実現することができる移動通信方法及び無線基地局を提供することができる。
【図面の簡単な説明】
【００２２】
【図１】本発明の第１の実施形態に係る移動通信システムの全体構成図である。
【図２】本発明の第１の実施形態に係る無線基地局ｅＮＢ/ＨｅＮＢの機能ブロック図である。
【図３】本発明の第１の実施形態に係る無線基地局ｅＮＢ/ＨｅＮＢの判定部の機能を説明するための図である。
【図４】本発明の第１の実施形態に係る交換局ＭＭＥの機能ブロック図である。
【図５】本発明の第１の実施形態に係る移動通信システムの動作を説明するための図である。
【図６】本発明の第１の実施形態に係る無線基地局ｅＮＢ/ＨｅＮＢの動作を説明するフローチャートである。
【図７】本発明の第１の実施形態に係る交換局ＭＭＥの動作を説明するフローチャートである。
【図８】ＬＴＥ方式の移動通信システムにおいて送信される「ＨＯ  Ｒｅｑｕｉｒｅｄ」メッセージに含まれる情報要素「Ｔａｒｇｅｔ  ＩＤ」及び情報要素「Ｔａｒｇｅｔ  ＩＤ」に含まれる情報要素「Ｇｌｏｂａｌ  ｅＮＢ  ＩＤ」について説明するための図である。
【図９】ＬＴＥ-Ｒｅｌ.８方式の移動通信システムで行われるＳ１ハンドオーバにおける問題点を説明するための図である。
【図１０】ＬＴＥ-Ｒｅｌ.９方式の移動通信システムにおいて送信される「Ｍｅａｓｕｒｅｍｅｎｔ  Ｒｅｐｏｒｔ」メッセージに含まれる情報要素「Ｅ-ＣＧＩ」について説明するための図である。
【発明を実施するための形態】
【００２３】
（本発明の第１の実施形態に係る移動通信システムの構成）
図１乃至図４を参照して、本発明の第１の実施形態に係る移動通信システムの構成について説明する。
【００２４】
本実施形態に係る移動通信システムは、ＬＴＥ方式の移動通信システムであって、図１に示すように、交換局ＭＭＥと、ゲートウェイ装置ＨｅＮＢ-ＧＷと、無線基地局ｅＮＢ＃０、ｅＮＢ＃１、ＨｅＮＢ＃２、ＨｅＮＢ＃３とを具備している。無線基地局ＨｅＮＢ＃２は、ゲートウェイ装置ＨｅＮＢ-ＧＷ配下に収容されている。
【００２５】
ここで、無線基地局ｅＮＢ＃０、ｅＮＢ＃１は、マクロセルを管理するマクロセル用無線基地局であり、無線基地局ＨｅＮＢ＃２、ＨｅＮＢ＃３は、ＣＳＧセルを含む小セルを管理する小セル用無線基地局である。
【００２６】
図２に示すように、無線基地局ｅＮＢ＃０、ｅＮＢ＃１、ＨｅＮＢ＃２、ＨｅＮＢ＃３（以下、代表して無線基地局ｅＮＢ/ＨｅＮＢと表記する）は、受信部１１と、判定部１２と、送信部１３とを具備している。
【００２７】
受信部１１は、移動局ＵＥによって送信されたＭｅａｓｕｒｅｍｅｎｔ  Ｒｅｐｏｒｔを送信し、交換局ＭＭＥによって送信されたＨａｎｄｏｖｅｒ  Ｐｒｅｐａｒａｔｉｏｎ  Ｆａｉｌｕｒｅを受信するように構成されている。
【００２８】
判定部１２は、移動局ＵＥから受信したＭｅａｓｕｒｅｍｅｎｔ  Ｒｅｐｏｒｔに含まれるＥ-ＣＧＩに含まれるＣｅｌｌ  ＩＤ内に設定されている所定ビットを参照して、ハンドオーバ先候補無線基地局がマクロセル用無線基地局ｅＮＢ或いは小セル用無線基地局ＨｅＮＢのいずれであるかについて判定するように構成されている。
【００２９】
具体的には、図３に示すように、Ｍｅａｓｕｒｅｍｅｎｔ  Ｒｅｐｏｒｔに含まれるＥ-ＣＧＩは、２４ビット長のＰＬＭＮ  Ｉｄｅｎｔｉｔｙと、２８ビット長のＣｅｌｌ  Ｉｄｅｎｔｉｔｙ（Ｃｅｌｌ  ＩＤ）とによって構成されている。
【００３０】
図３の例では、上述の所定ビットは、かかるＣｅｌｌ  Ｉｄｅｎｔｉｔｙ内の最上位の１ビットである。なお、上述の所定ビットは、Ｃｅｌｌ  Ｉｄｅｎｔｉｔｙ内の最上位の１ビット以外の１ビットであってもよいし、Ｃｅｌｌ  Ｉｄｅｎｔｉｔｙ内の複数ビットであってもよい。
【００３１】
例えば、所定ビットに、「０」が設定されている場合、Ｃｅｌｌ  Ｉｄｅｎｔｉｔｙには、２８ビット長の小セル用無線基地局ＨｅＮＢの識別情報（Ｈｏｍｅ）  ｅＮＢ  ＩＤが設定されている。
【００３２】
一方、所定ビットに、「１」が設定されている場合、Ｃｅｌｌ  Ｉｄｅｎｔｉｔｙには、２０ビット長のマクロセル用無線基地局ｅＮＢの識別情報（Ｍａｃｒｏ）  ｅＮＢ  ＩＤ及びマクロセル用無線基地局ｅＮＢ配下のセルを識別する８ビット長のＩＤが設定されている。
【００３３】
なお、所定ビットは、２８ビット長の小セル用無線基地局ＨｅＮＢの識別情報及び２０ビット長のマクロセル用無線基地局ｅＮＢの識別情報の一部を構成する。
【００３４】
送信部１３は、交換局ＭＭＥに対して、ハンドオーバ先候補無線基地局の識別情報ｅＮＢ  ＩＤを設定したＨａｎｄｏｖｅｒ  Ｒｅｑｕｉｒｅｄを送信するように構成されている。
【００３５】
ここで、判定部１２が、ハンドオーバ先候補無線基地局がマクロセル用無線基地局ｅＮＢであると判定した場合、送信部１３は、交換局ＭＭＥに対して、ハンドオーバ先候補無線基地局の識別情報ｅＮＢ  ＩＤとしてＣｅｌｌ  Ｉｄｅｎｔｉｔｙ/Ｃｅｌｌ  ＩＤの一部（２０ビット）を設定したＨａｎｄｏｖｅｒ  Ｒｅｑｕｉｒｅｄを送信するように構成されている。
【００３６】
一方、判定部１２が、ハンドオーバ先候補無線基地局が小セル用無線基地局ＨｅＮＢであると判定した場合、送信部１３は、交換局ＭＭＥに対して、ハンドオーバ先候補無線基地局の識別情報ｅＮＢ  ＩＤとしてＣｅｌｌ  Ｉｄｅｎｔｉｔｙ/Ｃｅｌｌ  ＩＤをそのまま設定したＨａｎｄｏｖｅｒ  Ｒｅｑｕｉｒｅｄを送信するように構成されている。
【００３７】
図４に示すように、交換局ＭＭＥは、管理部２１と、受信部２２と、判定部２３と、送信部２４とを具備している。
【００３８】
管理部２１は、交換局ＭＭＥ配下の無線基地局ｅＮＢ/ＨｅＮＢの識別情報ｅＮＢ  ＩＤ（Ｇｌｏｂａｌ  ｅＮＢ  ＩＤ）やトラッキングエリアの識別情報ＴＡＩや登録グループの識別情報ＣＳＧ  ＩＤ等を含むエントリを管理するように構成されている。
【００３９】
受信部２２は、ハンドオーバ元無線基地局Ｓ-ｅＮＢ/Ｓ-ＨｅＮＢから、移動局ＵＥに係るＨＯ  Ｒｅｑｕｉｒｅｄを受信するように構成されている。
【００４０】
判定部２３は、管理部２１において、受信部によって受信されたＨａｎｄｏｖｅｒ  Ｒｅｑｕｉｒｅｄに含まれているハンドオーバ先候補無線基地局の識別情報ｅＮＢ  ＩＤを含むエントリを管理されているか否かについて判定するように構成されている。
【００４１】
また、判定部２３は、ハンドオーバ先候補無線基地局の識別情報ｅＮＢ  ＩＤの長さが２８ビット（所定長）又は２０ビットのいずれであるかについて判定するように構成されている。
【００４２】
さらに、判定部２３は、管理部２１において、受信部２２によって受信されたＨａｎｄｏｖｅｒ  Ｒｅｑｕｉｒｅｄに含まれているトラッキングエリアの識別情報ＴＡＩを含むエントリが管理されているか否かについて判定するように構成されている。
【００４３】
送信部２４は、ハンドオーバ先候補無線基地局ｅＮＢ/ＨｅＮＢに対して、ＨＯ  Ｒｅｑｕｅｓｔを送信し、ハンドオーバ元無線基地局ｅＮＢ/ＨｅＮＢに対して、Ｈａｎｄｏｖｅｒ  Ｐｒｅｐａｒａｔｉｏｎ  Ｆａｉｌｕｒｅを送信するように構成されている。
【００４４】
例えば、管理部２１において、受信部２２によって受信されたＨａｎｄｏｖｅｒ  Ｒｅｑｕｉｒｅｄに含まれているハンドオーバ先候補無線基地局の識別情報ｅＮＢ  ＩＤを含むエントリを管理されていないと判定された場合であっても、ハンドオーバ先候補無線基地局の識別情報ｅＮＢ  ＩＤの長さが２８ビット（所定長）であると判定された場合で、かつ、管理部２１において、受信部２２によって受信されたＨａｎｄｏｖｅｒ  Ｒｅｑｕｉｒｅｄに含まれているトラッキングエリアの識別情報ＴＡＩを含むエントリが管理されていると判定された場合には、送信部２４は、ゲートウェイ装置ＨｅＮＢ-ＧＷに対して、かかるトラッキングエリアの識別情報ＴＡＩを含むＨａｎｄｏｖｅｒ  Ｒｅｑｕｅｓｔを送信するように構成されている。
【００４５】
また、管理部２１において、受信部２２によって受信されたＨａｎｄｏｖｅｒ  Ｒｅｑｕｉｒｅｄに含まれているハンドオーバ先候補無線基地局の識別情報ｅＮＢ  ＩＤを含むエントリを管理されていないと判定された場合で、かつ、ハンドオーバ先候補無線基地局の識別情報ｅＮＢ  ＩＤの長さが２８ビット（所定長）でない（すなわち、２０ビットである）と判定された場合には、送信部２４は、ハンドオーバ元無線基地局ｅＮＢ＃０に対して、Ｈａｎｄｏｖｅｒ  Ｐｒｅｐａｒａｔｉｏｎ  Ｆａｉｌｕｒｅを送信するように構成されている。
【００４６】
（本発明の第１の実施形態に係る移動通信システムの動作）
図５乃至図７を参照して、本発明の第１の実施形態に係る移動通信システムの動作について説明する。具体的には、図５乃至図７を参照して、本発明の第１の実施形態に係る移動通信システムにおいて、移動局ＵＥのハンドオーバ元無線基地局ｅＮＢ＃０からハンドオーバ先候補無線基地局ｅＮＢ＃１/ＨｅＮＢ＃２/ＨｅＮＢ＃３へのＳ１ハンドオーバ処理について説明する。
【００４７】
図５に示すように、ステップＳ１００１において、移動局ＵＥは、無線基地局ｅＮＢ＃０に対して、ハンドオーバ先候補無線基地局ｅＮＢ＃１/ＨｅＮＢ＃２/ＨｅＮＢ＃３配下のセルに係るＥ-ＣＧＩ及びトラッキングエリアの識別情報ＴＡＩを含むＭｅａｓｕｒｅｍｅｎｔ  Ｒｅｐｏｒｔを送信する。
【００４８】
ここで、図６を参照して、かかるＭｅａｓｕｒｅｍｅｎｔ  Ｒｅｐｏｒｔを受信した場合のハンドオーバ元無線基地局ｅＮＢ＃０の動作について説明する。
【００４９】
図６に示すように、ハンドオーバ元無線基地局ｅＮＢ＃０は、ステップＳ１０１において、受信したＭｅａｓｕｒｅｍｅｎｔ  Ｒｅｐｏｒｔから、ハンドオーバ先候補無線基地局ｅＮＢ＃１/ＨｅＮＢ＃２/ＨｅＮＢ＃３配下のセルに係るＥ-ＣＧＩを抽出し、ステップＳ１０２において、抽出したＥ-ＣＧＩ内のＣｅｌｌ  Ｉｄｅｎｔｉｔｙ/Ｃｅｌｌ  ＩＤ内の最上位の１ビットを読む。
【００５０】
ステップＳ１０３において、ハンドオーバ元無線基地局ｅＮＢ＃０は、かかる最上位の１ビット（所定ビット）に基づいて、ハンドオーバ先候補無線基地局がマクロセル用無線基地局ｅＮＢ又は小セル用無線基地局ＨｅＮＢのいずれであるのかについて判定する。
【００５１】
ハンドオーバ元無線基地局ｅＮＢ＃０は、ハンドオーバ先候補無線基地局がマクロセル用無線基地局ｅＮＢであると判定した場合、ステップＳ１０４において、Ｅ-ＣＧＩ内のＣｅｌｌ  ＩＤ（２８ビット）の上位２０ビットに、ハンドオーバ先候補無線基地局の識別情報ｅＮＢ  ＩＤとして、マクロセル用無線基地局ｅＮＢの識別情報（Ｍａｃｒｏ）  ｅＮＢ  ＩＤを設定する。
【００５２】
一方、ハンドオーバ元無線基地局ｅＮＢ＃０は、ハンドオーバ先候補無線基地局が小セル用無線基地局ＨｅＮＢであると判定した場合、ステップＳ１０５において、Ｅ-ＣＧＩ内のＣｅｌｌ  ＩＤ（２８ビット）に、ハンドオーバ先候補無線基地局の識別情報ｅＮＢ  ＩＤとして、小セル用無線基地局ＨｅＮＢの識別情報（Ｈｏｍｅ）  ｅＮＢ  ＩＤを設定する。
【００５３】
ステップＳ１０６において、ハンドオーバ元無線基地局ｅＮＢ＃０は、ハンドオーバ先候補無線基地局のＰＬＭＮ  ＩＤとｅＮＢ  ＩＤとを組み合わせてＧｌｏｂａｌ  ｅＮＢ  ＩＤを構成する。
【００５４】
ステップＳ１０７において（すなわち、図５に示すステップＳ１００２において）、ハンドオーバ元無線基地局ｅＮＢ＃０は、交換局ＭＭＥに対して、かかるＧｌｏｂａｌ  ｅＮＢ  ＩＤ及び上述のＴＡＩを含むＴａｒｇｅｔ  ＩＤを含むＨａｎｄｏｖｅｒ  Ｒｅｑｕｉｒｅｄを送信する。
【００５５】
ここで、図７を参照して、かかるＨａｎｄｏｖｅｒ  Ｒｅｑｕｉｒｅｄを受信した交換局ＭＭＥの動作について説明する。
【００５６】
図７に示すように、交換局ＭＭＥは、ステップＳ２０１において（すなわち、図５に示すステップＳ１００２において）、ハンドオーバ元無線基地局ｅＮＢ＃０から、Ｈａｎｄｏｖｅｒ  Ｒｅｑｕｉｒｅｄを受信し、ステップＳ２０２において、かかるＨａｎｄｏｖｅｒ  Ｒｅｑｕｉｒｅｄに含まれているＴａｒｇｅｔ  ＩＤから、Ｇｌｏｂａｌ  ｅＮＢ  ＩＤを抽出する。
【００５７】
交換局ＭＭＥは、ステップＳ２０３において、管理部２１を検索し、ステップＳ２０４において、抽出したＧｌｏｂａｌ  ｅＮＢ  ＩＤを含むエントリが管理されているか否かについて判定する。
【００５８】
交換局ＭＭＥは、管理部２１において、かかるＧｌｏｂａｌ  ｅＮＢ  ＩＤを含むエントリが管理されていないと判定した場合、ステップＳ２０５の処理を行い、管理部２１において、かかるＧｌｏｂａｌ  ｅＮＢ  ＩＤを含むエントリが管理されていると判定した場合、ステップＳ２０８の処理を行う。
【００５９】
交換局ＭＭＥは、ステップＳ２０５において、かかるＧｌｏｂａｌ  ｅＮＢ  ＩＤの長さが２８ビットであるか否かについて判定する。
【００６０】
交換局ＭＭＥは、かかるＧｌｏｂａｌ  ｅＮＢ  ＩＤの長さが２８ビットであると判定した場合、ステップＳ２０６の処理を行い、かかるＧｌｏｂａｌ  ｅＮＢ  ＩＤの長さが２８ビットでない、すなわち、かかるＧｌｏｂａｌ  ｅＮＢ  ＩＤの長さが２０ビットであると判定した場合、ステップＳ２０９の処理を行う。
【００６１】
交換局ＭＭＥは、ステップＳ２０６において、管理部２１を検索し、ステップＳ２０７において、抽出したＧｌｏｂａｌ  ｅＮＢ  ＩＤに含まれるＴＡＩを含むエントリが管理されているか否かについて判定する。
【００６２】
交換局ＭＭＥは、管理部２１において、かかるＴＡＩを含むエントリが管理されていないと判定した場合、ステップＳ２０９の処理を行い、管理部２１において、かかるＴＡＩを含むエントリが管理されていると判定した場合、ステップＳ２０８の処理を行う。
【００６３】
ステップＳ２０８において、交換局ＭＭＥは、ハンドオーバ先候補無線基地局ｅＮＢ＃１/ＨｅＮＢ＃２（又は、ゲートウェイ装置ＨｅＮＢ-ＧＷ）に対して、Ｈａｎｄｏｖｅｒ  Ｒｅｑｕｅｓｔを送信する。
【００６４】
具体的には、交換局ＭＭＥは、図５のステップＳ１００３Ａに示すように、ハンドオーバ先候補無線基地局ｅＮＢ＃１に対して、Ｈａｎｄｏｖｅｒ  Ｒｅｑｕｅｓｔを送信する場合もある。
【００６５】
また、交換局ＭＭＥは、図５のステップＳ１００３Ｂに示すように、ハンドオーバ先候補無線基地局ＨｅＮＢ＃２に対して、Ｈａｎｄｏｖｅｒ  Ｒｅｑｕｅｓｔを送信する場合もある。
【００６６】
或いは、交換局ＭＭＥは、図５のステップＳ１００３Ｃ１に示すように、ゲートウェイ装置ＨｅＮＢ-ＧＷに対して、ＴＡＩを含むＨａｎｄｏｖｅｒ  Ｒｅｑｕｅｓｔを送信する場合もある。
【００６７】
かかる場合、図５のステップＳ１００３Ｃ２に示すように、ゲートウェイ装置ＨｅＮＢ-ＧＷは、ハンドオーバ先候補無線基地局ＨｅＮＢ＃３に対して、Ｈａｎｄｏｖｅｒ  Ｒｅｑｕｅｓｔを送信する。
【００６８】
一方、交換局ＭＭＥは、図７に示すステップＳ２０９において、ハンドオーバ元無線基地局ｅＮＢ＃０に対して、Ｈａｎｄｏｖｅｒ  Ｐｒｅｐａｒａｔｉｏｎ  Ｆａｉｌｕｒｅを送信する。
【００６９】
（本発明の第１の実施形態に係る移動通信システムの作用・効果）
既存のＬＴＥ方式の移動通信システムでは、Ｓ１ハンドオーバが実行される際に、ハンドオーバ元無線基地局は、移動局ＵＥによって送信されたＭｅａｓｕｒｅｍｅｎｔ  Ｒｅｐｏｒｔに含まれるＥ-ＣＧＩに基づいて、ハンドオーバ先候補無線基地局の種別（ｅＮＢ/ＨｅＮＢ）を判定することができないため、ＨＯ  Ｒｅｑｕｉｒｅｄ内の情報要素「Ｔａｒｇｅｔ  ＩＤ」内の情報要素「Ｇｌｏｂａｌ  ｅＮＢ  ＩＤ」の長さ（２０ビット又は２８ビット）を決定することができないという問題点があった。
【００７０】
これに対して、本発明の第１の実施形態に係る移動通信システムによれば、ハンドオーバ元無線基地局は、受信したＭｅａｓｕｒｅｍｅｎｔ  Ｒｅｐｏｒｔに含まれるＥ-ＣＧＩ内のＣｅｌｌ  Ｉｄｅｎｔｉｔｙ/Ｃｅｌｌ  ＩＤ内の所定ビットを用いて、ハンドオーバ先候補無線基地局がマクロセル用無線基地局ｅＮＢ又は小セル用無線基地局ＨｅＮＢのいずれであるのかについて判別することができるので、異なる長さの無線基地局の識別情報ｅＮＢ  ＩＤを有する無線基地局が混在する場合であっても、Ｓ１ハンドオーバを実現することができる。
【００７１】
以上に述べた本実施形態の特徴は、以下のように表現されていてもよい。
【００７２】
本実施形態の第１の特徴は、移動通信方法であって、移動局ＵＥのハンドオーバ元無線基地局ｅＮＢ＃０（第１無線基地局）配下のセルからハンドオーバ先候補無線基地局ｅＮＢ＃１/ＨｅＮＢ＃２/ＨｅＮＢ＃３（第２無線基地局）配下のセルに対するハンドオーバ処理を行う移動通信方法であって、ハンドオーバ元無線基地局ｅＮＢ＃０が、移動局ＵＥから受信したＭｅａｓｕｒｅｍｅｎｔ  Ｒｅｐｏｒｔ（測定報告）に含まれるＥ-ＣＧＩに含まれるＣｅｌｌ  ＩＤ（第２無線基地局配下のセルを特定可能なセル識別情報）内に設定されている所定ビット（所定情報）を参照して、ハンドオーバ先候補無線基地局がマクロセル用無線基地局ｅＮＢ或いは小セル（例えば、ＣＳＧセル）用無線基地局ＨｅＮＢのいずれであるかについて判定する工程と、ハンドオーバ先候補無線基地局がマクロセル用無線基地局ｅＮＢであると判定された場合、ハンドオーバ元無線基地局ｅＮＢ＃０が、交換局ＭＭＥに対して、ハンドオーバ先候補無線基地局の識別情報ｅＮＢ  ＩＤとしてＣｅｌｌ  ＩＤ（２８ビット）の一部（例えば、Ｃｅｌｌ  ＩＤの上位２０ビット）を設定したＨａｎｄｏｖｅｒ  Ｒｅｑｕｉｒｅｄ（第１ハンドオーバ要求信号）を送信する工程と、ハンドオーバ先候補無線基地局が小セル用無線基地局ＨｅＮＢであると判定された場合、ハンドオーバ元無線基地局ｅＮＢ＃０が、交換局ＭＭＥに対して、ハンドオーバ先候補無線基地局の識別情報ｅＮＢ  ＩＤとしてＣｅｌｌ  ＩＤ（２８ビット）をそのまま設定したＨａｎｄｏｖｅｒ  Ｒｅｑｕｉｒｅｄを送信する工程とを有することを要旨とする。
【００７３】
本実施形態の第１の特徴において、交換局ＭＭＥが、無線基地局の識別情報ｅＮＢ  ＩＤ及びトラッキングエリアの識別情報ＴＡＩを含むエントリを管理する管理部２１を具備しており、管理部２１において、Ｈａｎｄｏｖｅｒ  Ｒｅｑｕｉｒｅｄに含まれているハンドオーバ先候補無線基地局の識別情報ｅＮＢ  ＩＤを含むエントリを管理されていない場合であっても、ハンドオーバ先候補無線基地局の識別情報ｅＮＢ  ＩＤの長さが２８ビット（所定長）である場合で、かつ、管理部２１において、Ｈａｎｄｏｖｅｒ  Ｒｅｑｕｉｒｅｄに含まれているトラッキングエリアの識別情報ＴＡＩを含むエントリが管理されている場合には、交換局ＭＭＥが、ゲートウェイ装置ＨｅＮＢ-ＧＷに対して、かかるトラッキングエリアの識別情報ＴＡＩを含むＨａｎｄｏｖｅｒ  Ｒｅｑｕｅｓｔ（第２ハンドオーバ要求信号）を送信する工程と、ゲートウェイ装置ＨｅＮＢ-ＧＷが、受信したＨａｎｄｏｖｅｒ  Ｒｅｑｕｅｓｔに含まれているトラッキングエリアの識別情報ＴＡＩ、及びＥ-ＣＧＩに対応するハンドオーバ先候補無線基地局の識別情報ｅＮＢ  ＩＤによって特定されるハンドオーバ先候補無線基地局ＨｅＮＢ＃３に対して、Ｈａｎｄｏｖｅｒ  Ｒｅｑｕｅｓｔ（第３ハンドオーバ要求信号）を送信する工程とを有してもよい。
【００７４】
本実施形態の第１の特徴において、交換局ＭＭＥが、無線基地局の識別情報ｅＮＢ  ＩＤ及びトラッキングエリアの識別情報ＴＡＩを含むエントリを管理する管理部２１を具備しており、管理部２１において、Ｈａｎｄｏｖｅｒ  Ｒｅｑｕｉｒｅｄに含まれているハンドオーバ先候補無線基地局の識別情報ｅＮＢ  ＩＤを含むエントリを管理されていない場合で、かつ、ハンドオーバ先候補無線基地局の識別情報ｅＮＢ  ＩＤの長さが２８ビット（所定長）でない（すなわち、２０ビットである）場合には、交換局ＭＭＥが、ハンドオーバ元無線基地局ｅＮＢ＃０に対して、Ｈａｎｄｏｖｅｒ  Ｐｒｅｐａｒａｔｉｏｎ  Ｆａｉｌｕｒｅ（ハンドオーバ失敗信号）を送信する工程を有してもよい。
【００７５】
本実施形態の第２の特徴は、移動局ＵＥのハンドオーバ元無線基地局配下のセルからハンドオーバ先候補無線基地局配下のセルに対するハンドオーバ処理において、ハンドオーバ元無線基地局として機能する無線基地局ｅＮＢ/ＨｅＮＢであって、移動局ＵＥから受信したＭｅａｓｕｒｅｍｅｎｔ  Ｒｅｐｏｒｔに含まれるＥ-ＣＧＩに含まれるＣｅｌｌ  ＩＤ内に設定されている所定ビットを参照して、ハンドオーバ先候補無線基地局がマクロセル用無線基地局ｅＮＢ或いは小セル用無線基地局ＨｅＮＢのいずれであるかについて判定するように構成されている判定部１２と、交換局ＭＭＥに対して、ハンドオーバ先候補無線基地局の識別情報ｅＮＢ  ＩＤを設定したＨａｎｄｏｖｅｒ  Ｒｅｑｕｉｒｅｄ（ハンドオーバ要求信号）を送信するように構成されている送信部１３とを具備し、判定部１２が、ハンドオーバ先候補無線基地局がマクロセル用無線基地局ｅＮＢであると判定した場合、送信部１３は、交換局ＭＭＥに対して、ハンドオーバ先候補無線基地局の識別情報ｅＮＢ  ＩＤとしてＣｅｌｌ  ＩＤの一部を設定したＨａｎｄｏｖｅｒ  Ｒｅｑｕｉｒｅｄを送信するように構成されており、判定部１２が、ハンドオーバ先候補無線基地局が小セル用無線基地局ＨｅＮＢであると判定した場合、送信部１３は、交換局ＭＭＥに対して、ハンドオーバ先候補無線基地局の識別情報ｅＮＢ  ＩＤとしてＣｅｌｌ  ＩＤをそのまま設定したＨａｎｄｏｖｅｒ  Ｒｅｑｕｉｒｅｄを送信するように構成されていることを要旨とする。
【００７６】
なお、上述の移動局ＵＥや無線基地局ｅＮＢ/ＨｅＮＢやゲートウェイ装置ＨｅＮＢ-ＧＷや交換局ＭＭＥの動作は、ハードウェアによって実施されてもよいし、プロセッサによって実行されるソフトウェアモジュールによって実施されてもよいし、両者の組み合わせによって実施されてもよい。
【００７７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ/ＨｅＮＢやゲートウェイ装置ＨｅＮＢ-ＧＷや交換局ＭＭＥ内に設けられていてもよい。また、かかる記憶媒体及びプロセッサは、ディスクリートコンポーネントとして移動局ＵＥや無線基地局ｅＮＢ/ＨｅＮＢやゲートウェイ装置ＨｅＮＢ-ＧＷや交換局ＭＭＥ内に設けられていてもよい。
【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【００８０】
ｅＮＢ/ＨｅＮＢ…無線基地局
１１…受信部
１２…判定部
１３…送信部
【図１】
2011097530.tif 000003
【図２】
2011097530.tif 000004
【図３】
2011097530.tif 000005
【図４】
2011097530.tif 000006
【図５】
2011097530.tif 000007
【図６】
2011097530.tif 000008
【図７】
2011097530.tif 000009
【図８】
2011097530.tif 000010
【図９】
2011097530.tif 000011
【図１０】
2011097530.tif 000012